(57)【要約】【課題】プラントの各施設の拡張・改変に柔軟に対応することができる統括運転管理・運転支援・運転監視装置を提供することである。【解決手段】対象となる各々の監視制御システム群とネットワークを介して結合され、ネットワーク透過性を有するインターフェース部により各々の監視制御システム群からプラント制御情報を取得するプラント制御情報入力手段と、プラント制御をするためのデータベースを取得するプラント制御用データベース入力手段と、各々の監視制御システム群のプラント制御情報と前記監視制御システム群がプラント制御を行うためのデータベースとを同時に提供するプラント制御情報提供手段とを備えている。【選択図】図１
2007164490.tif 000002
【特許請求の範囲】
【請求項１】
対象となる各々の監視制御システム群とネットワークを介して結合され、ネットワーク透過性を有するインターフェース部により各々の監視制御システム群からプラント制御情報を取得するプラント制御情報入力手段と、
プラント制御をするためのデータベースを取得するプラント制御用データベース入力手段と、
各々の監視制御システム群のプラント制御情報と前記監視制御システム群がプラント制御を行うためのデータベースとを同時に提供するプラント制御情報提供手段とを備えたことを特徴とする統括運転管理・運転支援・運転監視装置。
【請求項２】
対象となる各々の監視制御システム群とネットワークを介して結合され、ネットワーク透過性を有するインターフェース部により各々の監視制御システム群からプラント監視情報を取得するプラント監視情報入力手段と、
プラント監視をするためのデータベースを取得するプラント監視用データベース入力手段と、
各々の監視制御システム群のプラント監視情報と前記監視制御システム群がプラント監視を行うためのデータベースとを同時に提供するプラント監視情報提供手段とを備えたことを特徴とする統括運転管理・運転支援・運転監視装置。
【請求項３】
対象となる各々の監視制御システム群とネットワークを介して結合され、ネットワーク透過性を有するインターフェース部により各々の監視制御システム群からプラント運転操作情報を取得するプラント運転操作情報入力手段と、
プラント運転操作をするためのデータベースを取得するプラント運転操作用データベース入力手段と、
各々の監視制御システム群のプラント運転操作情報と前記監視制御システム群がプラント運転操作を行うためのデータベース情報とを同時に提供するプラント運転操作情報提供手段とを備えたことを特徴とする統括運転管理・運転支援・運転監視装置。
【請求項４】
前記プラント制御用データベース入力手段に対して各々の監視制御システム群でのプラント制御用データベース変更記録を構築するプラント制御用データベース変更記録構築手段と、前記プラント制御用データベース変更記録構築手段で構築されたプラント制御用データベース変更記録を提供するプラント制御用データベース変更記録検索手段とを備えたことを特徴とする請求項１記載の統括運転管理・運転支援・運転監視装置。
【請求項５】
前記プラント監視用データベース入力手段に対して各々の監視制御システム群でのプラント監視用データベース変更記録を構築するプラント監視用データベース変更記録構築手段と、前記プラント監視用データベース変更記録構築手段で構築されたプラント監視用データベース変更記録を提供するプラント監視用データベース変更記録検索手段とを備えたことを特徴とする請求項２記載の統括運転管理・運転支援・運転監視装置。
【請求項６】
前記プラント運転操作用データベース入力手段に対して各々の監視制御システム群でのプラント運転操作用データベース変更記録を構築するプラント運転操作用データベース変更記録構築手段と、前記プラント運転操作用データベース変更記録構築手段で構築されたプラント運転操作用データベース変更記録を提供するプラント運転操作用データベース変更記録検索手段とを備えたことを特徴とする請求項３記載の統括運転管理・運転支援・運転監視装置。
【請求項７】
対象となる各々の監視制御システム群とネットワークを介して結合され、ネットワーク透過性を有するインターフェース部により各々の監視制御システム群からプラント制御情報を取得するプラント制御情報入力手段と、
ネットワーク透過性を有するインターフェース部により各々の監視制御システム群からプラント監視情報を取得するプラント監視情報入力手段と、
ネットワーク透過性を有するインターフェース部により各々の監視制御システム群からプラント運転操作情報を取得するプラント運転操作情報入力手段と、
監視制御システム群にて使用しているプラント使用計器情報を取得するプラント使用計器情報入力手段と、
各々の監視制御システム群のプラント制御情報、プラント監視情報、プラント運転操作情報と前記監視制御システム群のプラント使用計器情報とを同時に提供するプラント使用計器情報検索手段とを備えたことを特徴とする統括運転管理・運転支援・運転監視装置。
【請求項８】
前記プラント使用計器情報入力手段に対して各々の監視制御システム群でのプラント使用計器情報の更新に対するデータベース変更記録を構築するプラント使用計器情報データベース変更記録手段と、プラント使用計器情報データベース変更記録を提供するプラント使用計器情報データベース変更記録検索手段とを備えたことを特徴とする請求項７記載の統括運転管理・運転支援・運転監視装置。
【請求項９】
対象となる各々の監視制御システム群とネットワークを介して結合され、ネットワーク透過性を有するインターフェース部により各々の監視制御システム群からプラント制御情報を取得するプラント制御情報入力手段と、
ネットワーク透過性を有するインターフェース部により各々の監視制御システム群からプラント監視情報を取得するプラント監視情報入力手段と、
ネットワーク透過性を有するインターフェース部により各々の監視制御システム群からプラント運転操作情報を取得するプラント運転操作情報入力手段と、
各々の施設の運用及び運転に係わる規定情報及び法規・法令情報を取得するプラント運転規定・法規入力手段と、
各々の監視制御システム群のプラント制御情報、プラント監視情報、プラント運転操作情報と前記監視制御システム群の各々の施設の運用及び運転に係わる規定情報及び法規・法令情報とを同時に提供するプラント運転規定・法規情報検索手段とを備えたことを特徴とする統括運転管理・運転支援・運転監視装置。
【請求項１０】
前記プラント運転規定・法規入力手段に対して各々の監視制御システム群での各々の施設の運用及び運転に係わる規定情報及び法規・法令情報の更新に対するデータベース変更記録を構築するプラント運転規定・法規データベース変更記録構築手段と、各々の施設の運用及び運転に係わる規定情報及び法規・法令情報データベース変更記録を提供するプラント運転規定・法規データベース変更記録検索手段とを備えたことを特徴とする請求項９記載の統括運転管理・運転支援・運転監視装置。
【請求項１１】
対象となる各々の監視制御システム群とネットワークを介して結合され、ネットワーク透過性を有するインターフェース部により各々の監視制御システム群からプラント制御情報を取得するプラント制御情報入力手段と、
ネットワーク透過性を有するインターフェース部により各々の監視制御システム群からプラント監視情報を取得するプラント監視情報入力手段と、
ネットワーク透過性を有するインターフェース部により各々の監視制御システム群からプラント運転操作情報を取得するプラント運転操作情報入力手段と、
各施設間を跨いで監視するための情報を取得する施設間監視情報入力手段と、
各々の監視制御システム群のプラント制御情報、プラント監視情報、プラント運転操作情報と各施設間を跨いで監視するための情報を基に、各施設間を跨いで監視する必要のあるプロセス量を算出して、その算出結果を提供する施設間監視手段とを備えたことを特徴とする統括運転管理・運転支援・運転監視装置。
【請求項１２】
前記施設間監視情報入力手段に対して各施設間を跨いで監視するための情報の更新に対するデータベース変更記録を構築する施設間監視情報データベース変更記録構築手段と、
各施設間を跨いで監視するための情報データベース変更記録を提供する施設間監視情報データベース変更記録検索手段を持つことを特徴とする請求項１１記載の統括運転管理・運転支援・運転監視装置。
【請求項１３】
対象となる各々の監視制御システム群とネットワークを介して結合され、ネットワーク透過性を有するインターフェース部により各々の監視制御システム群からプラント制御情報を取得するプラント制御情報入力手段と、
ネットワーク透過性を有するインターフェース部により各々の監視制御システム群からプラント監視情報を取得するプラント監視情報入力手段と、
ネットワーク透過性を有するインターフェース部により各々の監視制御システム群からプラント運転操作情報を取得するプラント運転操作情報入力手段と、
監視制御システム群にて使用しているプラント使用計器情報を取得するプラント使用計器情報入力手段と、
一過的な監視、プラントに対する特定項目に対する監視、プラント・施設間に対する特定監視項目に対する監視等、運転・運用に対して任意に設定する特定用途監視情報を取得する特定用途監視情報入力手段と、
各々の監視制御システム群のプラント制御情報、プラント監視情報、プラント運転操作情報と一過的な監視、プラントに対する特定項目に対する監視、プラント・施設間に対する特定監視項目に対する監視等、運転・運用に対して任意に設定する特定用途監視情報を基に、監視する必要のあるプロセス量を算出して、その算出結果を提供する特定用途監視手段を持つことを特徴とする統括運転管理・運転支援・運転監視装置。
【請求項１４】
前記特定用途監視情報入力手段に対して、一過的な監視、プラントに対する特定項目に対する監視、プラント・施設間に対する特定監視項目に対する監視等、運転・運用に対して任意に設定する特定用途監視情報の更新に対するデータベース変更記録を構築する特定用途監視情報データベース変更記録構築手段と、一過的な監視、プラントに対する特定項目に対する監視、プラント・施設間に対する特定監視項目に対する監視等、運転・運用に対して任意に設定する特定用途監視情報データベース変更記録を提供する特定用途監視情報データベース変更記録検索手段とを備えたことを特徴とする請求項１３記載の統括運転管理・運転支援・運転監視装置。
【発明の詳細な説明】
【技術分野】
【０００１】
本発明は、複雑且つ大規模な産業プラントを計算機システムを用いて運転管理、運転支援及び運転監視する統括運転管理・運転支援・運転監視装置に関する。
【背景技術】
【０００２】
一般に、複雑且つ大規模な産業プラントとしては、核燃料再処理プラント、原子力発電プラント、火力発電プラント、水力発電プラント、電力系統プラント、上下水道プラント等がある。これらプラントは、施設またはサブシステム毎に分割され、プラントの運転・制御、操作及び監視を行っている。分割された範囲での情報提供については、現行の監視制御システムの範囲で実施されている。
【０００３】
複数のユニットのプラントの監視や操作を効率よく行うようにしたものとして、複数のユニットの操作端を操作画面上に表示させる操作画面情報を記憶し、複数のユニットの操作端を統括表示装置に表示させるようにしたものがある（例えば、特許文献１参照）。
【特許文献１】特開２００１−２９０５３２号公報
【発明の開示】
【発明が解決しようとする課題】
【０００４】
しかし、複雑且つ大規模な産業プラントにおいては、施設またはサブシステム毎に分割された範囲での情報提供については、現行の監視制御システムの範囲で実施されているが、施設またはサブシステムを跨いでの情報提供、全体に渡る範囲としての情報提供はできていないのが現状である。
【０００５】
本発明の目的は、プラントの各施設の拡張・改変に柔軟に対応することができる統括運転管理・運転支援・運転監視装置を提供することである。
【課題を解決するための手段】
【０００６】
本発明の統括運転管理・運転支援・運転監視装置は、対象となる各々の監視制御システム群とネットワークを介して結合され、ネットワーク透過性を有するインターフェース部により各々の監視制御システム群からプラント制御情報を取得するプラント制御情報入力手段と、プラント制御をするためのデータベースを取得するプラント制御用データベース入力手段と、各々の監視制御システム群のプラント制御情報と前記監視制御システム群がプラント制御を行うためのデータベースとを同時に提供するプラント制御情報提供手段とを備えたことを特徴とする。
【発明の効果】
【０００７】
本発明によれば、施設間を跨いだ制御が発生する場合であっても、各施設単独の断片的な制御状態だけでなく、施設を跨いだ断続的な制御情報の提供が可能となる。また、施設間に関連性がない場合でも、制御パラメータの比較等の情報提供も統括監視者に対して可能となり、各施設の拡張・改変に柔軟に対応することができる。
【発明を実施するための最良の形態】
【０００８】
図１は本発明の実施の形態に係わる統括運転管理・運転支援・運転監視装置のブロック構成図、図２は本発明の実施の形態に係わる統括運転管理・運転支援・運転監視装置が適用される統括運転管理・運転支援・運転監視システムのシステム構成図である。
【０００９】
図２において、統括運転管理・運転支援・運転監視装置３０００は、各々の監視制御システム群４０００や端末機器３００１とネットワーク４００１を介して結合され、統括運転管理・運転支援・運転監視装置３０００にインターフェース部はネットワーク透過性を有している。このような統括運転管理・運転支援・運転監視装置３０００は、例えば核燃料再処理プラントに用いられ、その場合は、全施設の運転状態を監視する統括監視室に設置される。各々の監視制御システム群４０００には、制御装置４０１０、制御／監視系計算機４０２０、管理用計算機４０３０等が必要に応じて配置されている。
【００１０】
図１において、施設毎の監視制御システムから統括運転管理・運転支援・運転監視装置３０００に入力される情報について説明する。まず、プラント制御情報１００１は、統括運転管理・運転支援・運転監視装置３０００の施設情報取込手段２０００のプラント制御情報入力手段２００１に入力される。すなわち、プラント制御情報入力手段２００１はプラント制御情報１００１を入力し、プラント制御情報データベース２１０１に構築保存する。
【００１１】
プラント制御情報１００１は、制御を行う上でのシーケンス制御情報及びプロセス制御情報、また制御に係わるプロセス量を含んだものである。プラント制御情報入力手段２００１は、各施設のプラント制御情報の変更を検出し、常に最新のプラント制御情報１００１を各施設より取込み、且つ制御状態であるプロセス量を取込む機能を有している。プラント制御情報データベース２１０１は、プラント制御情報入力手段２００１により、プラント制御情報を構築されるデータベースである。
【００１２】
そして、統括運転管理・運転支援・運転監視装置３０００は、端末機器３００１より任意に選択された単独または複数施設を基に、プラント制御情報提供手段２４０１により、単独または複数施設のプラント制御情報を端末機器３００１に出力を行う。またはメディア３００２に出力を行う。端末機器３００１は、モニタまたは、キーボード、タッチスクリーン装置、マウス等の対話機能を備えた端末機器であり、携帯型、据置型の何れでもかまわない。
【００１３】
図３は本発明の実施の形態における端末機器３００１に表示される施設の切替対話表示のサンプルの一例の説明図である。図３では、各施設への切り替えと同時に特定モードに切替えることで全施設を同時に表示可能となるものを示している。図３において、イベントボタン５００１は、当直長によるアクション（確認、承認等）が必要となる機能が割り付けられるボタンであり、ボタン上部にイベント表示窓５００２を持つ。
【００１４】
イベント表示窓５００２はイベントの発生状況とアクションの実施状況により、緑点灯、赤点滅、赤点灯する。緑点灯は当直のアクションを必要とするイベントが一つもない状態を表示しており、赤点滅は新たなイベントが一つ以上発生した状態を表示しており、赤点灯は赤点滅の後、当直によりイベントボタンは選択されたものの解決されていないイベントがある状態を示している。
【００１５】
ここで、当直長番の端末機器３００１（表示装置）について、イベント表示窓の状態はすべての表示装置で同じとなる。例えば、安全系監視の警報が発生すると、各表示装置の安全監視ボタンのイベント表示窓が赤点灯し、いずれか一台の表示装置で「安全系監視警報状態一覧表示画面」を表示すると、各表示装置の安全系監視ボタンのイベント表示窓は赤点灯となる。
【００１６】
次に、アイランド表示窓５００３は当直長盤の表示内容がどこのアイランドの直長盤表示となっているかを表示する。デマンドボタン５００４は当直長が能動的に実施する機能が割り付けられるボタンであり、切替ボタン５００５は当直長盤を各アイランドの直長盤に切り替えるボタンである。この切替ボタン５００５は切り替えた直長盤から当直長盤に戻すときにも使用する。
【００１７】
展開マーク５００６は、このマークのあるイベントボタン５００１、デマンドボタン５００４を押すとサブメニューが表示される。また、予備ボタン５００７は、将来の機能追加用に確保された予備のボタンであり、イベントボタン５００１、デマンドボタン５００４が割り付けられる。さらに、ユーティリティエリア５００８が設けられ、日時や時刻等の表示が行われる。
【００１８】
このように構成されるので、例えば、施設間における溶液移送を行う際の送り側施設の制御情報と受け側施設の制御情報とを同時に統括監視者に対して提供することができる。すなわち、施設間を跨いだ制御が発生する場合であっても、各施設単独の断片的な制御状態だけでなく、施設を跨いだ断続的な制御情報の提供が可能となる。また、施設間に関連性がない場合でも、制御パラメータの比較等の情報提供も統括監視者に対して可能となる。
【００１９】
次に、施設毎の監視制御システムから統括運転管理・運転支援・運転監視装置３０００に入力される情報としてプラント監視情報１００２について説明する。プラント監視情報１００２は施設情報取込手段２０００のプラント監視情報入力手段２００２により入力され、プラント監視情報データベース２１０２に構築保存される。プラント監視情報１００２は、監視を行う上での制限値情報、またプロセス量を含んだものであり、プラント監視情報入力手段２００２は、各施設のプラント監視情報の変更を検出し、常に最新のプラント監視情報１００２を各施設より取込み、且つプロセス量を取込む機能を持つ。プラント監視情報データベース２１０２は、プラント監視情報入力手段２００２により、プラント監視情報を構築されるデータベースである。
【００２０】
統括運転管理・運転支援・運転監視装置３０００は、端末機器３００１より任意に選択された単独または複数施設を基に、プラント監視情報提供手段２４０２により、単独または複数施設のプラント監視情報を端末機器３００１に出力を行う。またはメディア３００２に出力を行う。
【００２１】
これにより、例えば、施設間における溶液移送を行う際の送り側施設の監視情報と受け側施設の監視情報とを同時に統括監視者に対して提供することができる。すなわち、施設間を跨いだ監視が発生する場合、各施設単独の断片的な監視状態だけでなく、施設を跨いだ断続的な監視情報の提供が可能となる。また、施設間に関連性がない場合でも、監視状態の比較等の情報提供も統括監視者に対して可能となる。
【００２２】
次に、施設毎の監視制御システムから統括運転管理・運転支援・運転監視装置３０００に入力される情報としてプラント運転操作情報１００５について説明する。プラント運転操作情報１００５はプラント運転操作情報入力手段２００５により入力され、プラント運転操作情報データベース２１０５に構築保存される。プラント運転操作情報１００５は、プラント操作を行う上での操作情報であり、自動化操作、シーケンス制御の開始停止操作、バルブの開閉操作、プロセス制御の自動手動のモード変更の情報を含んだものである。プラント運転操作情報入力手段２００５は、各施設のプラント運転操作情報の発生を検出し、常に最新のプラント運転操作情報１００５を各施設より取込む機能を持つ。プラント運転操作情報データベース２１０５は、プラント運転操作情報入力手段２００５により、プラント監視情報を構築されるデータベースである。
【００２３】
統括運転管理・運転支援・運転監視装置３０００は、端末機器３００１より任意に選択された単独または複数施設を基に、プラント運転操作情報提供手段２４０５により、複数施設のプラント運転操作情報を端末機器３００１に出力を行う。またはメディア３００２に出力を行う。
【００２４】
これにより、例えば、施設間における溶液移送を行う際の送り側施設のプラント操作情報と受け側施設のプラント操作情報とを同時に統括監視者に対して提供することができる。すなわち、施設間を跨いだプラント操作が発生する場合、各施設単独の断片的なプラント操作情報だけでなく、施設を跨いだ断続的なプラント操作情報の提供が可能となる。また、施設間に関連性がない場合でも、プラント操作の比較等の情報提供も統括監視者に対して可能となる。
【００２５】
次に、施設毎の監視制御システムから統括運転管理・運転支援・運転監視装置３０００に入力される情報としてプラント制御用データベース１００３について説明する。プラント制御用データベース１００３はプラント制御用データベース入力手段２００３により入力され、プラント制御用データベース２１０３に構築保存される。プラント制御用データベース変更記録構築手段２２０３は、プラント制御用データベース２１０３の変更記録情報として変更前後の情報及び変更日付を変更履歴としてプラント制御用データベース変更記録２３０３を構築する。
【００２６】
プラント制御用データベース１００３は、プラント操作を行う上での制御情報であり、自動化操作、シーケンス制御、プロセス制御の情報を含んだものである。プラント制御用データベース入力手段２００３は、各施設のプラント制御用データベースの変更の発生を検出し、常に最新のプラント制御用データベース１００３を各施設より取込む機能を持ち、プラント制御用データベース２１０３を更新する。プラント制御用データベース変更記録構築手段２２０３は、プラント制御用データベース２１０３の変更を検出し、プラント制御用データベース２１０３の変更内容及び変更日付を基に、プラント制御用データベース変更記録２３０３を構築する。
【００２７】
統括運転管理・運転支援・運転監視装置３０００は、端末機器３００１より任意に選択された単独または複数施設を基に、プラント制御用データベース変更記録検索手段２４０３により、複数施設のプラント制御用データベース変更記録情報を端末機器３００１に出力を行う。またはメディア３００２に出力を行う。
【００２８】
これにより、例えば、プラント制御情報の設定変更記録を単一施設としての変更履歴情報として、また、複数施設間で類似したプラント制御情報の比較情報を統括監視者に対して提供することができる。すなわち、統括監視者に対して、全施設のプラント制御データベースの変更記録情報の提供が可能となる。また、施設ごとに管理するプラント制御データベースの変更管理を、統括運転管理・運転支援・運転監視装置３０００により集中管理することが可能となる。
【００２９】
次に、施設毎の監視制御システムから統括運転管理・運転支援・運転監視装置３０００に入力される情報としてプラント監視用データベース１００４について説明する。プラント監視用データベース１００４はプラント監視用データベース入力手段２００４により入力され、プラント監視用データベース２１０４に構築保存される。プラント監視用データベース変更記録構築手段２２０４は、プラント監視用データベース２１０４の変更記録情報として変更前後の情報及び変更日付を変更履歴としてプラント監視用データベース変更記録２３０４を構築する。
【００３０】
プラント監視用データベース１００４は、プラント運転を行う上での監視情報であり、警報設定値情報を含んだものであり、プラント監視用データベース入力手段２００４は、各施設のプラント監視用データベースの変更の発生を検出し、常に最新のプラント監視用データベース１００４を各施設より取込む機能を持ち、プラント監視用データベース２１０４を更新する。プラント監視用データベース変更記録構築手段２２０４は、プラント監視用データベース２１０４の変更を検出し、プラント監視用データベースの変更内容及び変更日付を基に、プラント監視用データベース変更記録２３０４を構築する。
【００３１】
統括運転管理・運転支援・運転監視装置３０００は、端末機器３００１より任意に選択された単独または複数施設を基に、プラント制御用データベース変更記録検索手段２４０４により、複数施設のプラント制御用データベース変更記録情報を端末機器３００１に出力を行う。またはメディア３００２に出力を行う。
【００３２】
これにより、例えば、プラント監視情報の設定変更記録を単一施設としての変更履歴情報として、また、複数施設間で類似したプラント監視情報の比較情報を統括監視者に対して提供することができる。すなわち、統括監視者に対して、全施設のプラント監視データベースの変更記録情報の提供が可能となる。また、施設ごとに管理するプラント制御データベースの変更管理を統括運転管理・運転支援・運転監視装置３０００により集中管理することが可能となる。
【００３３】
次に、施設毎の監視制御システムから統括運転管理・運転支援・運転監視装置３０００に入力される情報としてプラント運転操作用データベース１００６について説明する。プラント運転操作用データベース１００６はプラント運転操作用データベース入力手段２００６により入力され、プラント運転操作用データベース２１０４に構築保存される。プラント運転操作用データベース変更記録構築手段２２０６は、プラント運転操作用データベース２１０６の変更記録情報として変更前後の情報及び変更日付を変更履歴としてプラント運転操作用データベース変更記録２３０６を構築する。
【００３４】
プラント運転操作用データベース１００６は、プラント運転を行う上での運転操作用情報であり、自動化操作情報、シーケンス制御情報、バルブの開閉操作情報、プロセス制御情報を含んだものである。プラント運転操作用データベース入力手段２００６は、各施設のプラント運転操作用データベースの変更の発生を検出し、常に最新のプラント運転操作用データベース１００６を各施設より取込む機能を持ち、プラント運転操作用データベース２１０６を更新する。プラント運転操作用データベース変更記録構築手段２２０６は、プラント運転操作用データベース２１０６の変更を検出し、プラント運転操作用データベースの変更内容及び変更日付を基に、プラント運転操作用データベース変更記録２３０６を構築する。
【００３５】
統括運転管理・運転支援・運転監視装置３０００は、端末機器３００１より任意に選択された単独または複数施設を基に、プラント運転操作用データベース変更記録検索手段２４０６により、複数施設のプラント運転操作用データベース変更記録情報を端末機器３００１に出力を行う。またはメディア３００２に出力を行う。
【００３６】
これにより、例えば、プラント運転操作用情報の設定変更記録を単一施設としての変更履歴情報として、また、複数施設間で類似したプラント運転操作用情報の比較情報を統括監視者に対して提供することができる。すなわち、統括監視者に対して、全施設のプラント運転操作用データベースの変更記録情報の提供が可能となる。また、施設ごとに管理するプラント運転操作用データベースの変更管理を、統括運転管理・運転支援・運転監視装置３０００により集中管理することが可能となる。
【００３７】
次に、施設毎の監視制御システムから統括運転管理・運転支援・運転監視装置３０００に入力される情報としてプラント使用計器情報１００７について説明する。プラント使用計器情報１００７はプラント使用計器情報入力手段２００７により入力され、プラント使用計器情報データベース２１０７に構築保存される。
【００３８】
また、統括運転管理・運転支援・運転監視装置３０００への入力として、対話による入力手段、または、メディアによる読込みを可能とする。なお、施設毎の監視制御システムにおいて、プラント使用計器情報１００７を電子媒体として保持している場合は、監視制御システムと通信システムを介してデータを取込むことも可能である。
【００３９】
プラント使用計器情報１００７は、プラント運転を行う上での設備の保守情報であり、プラント使用計器情報入力手段２００７は、各施設のプラント運転を行う上での設備の保守情報の変更の発生を検出し、常に最新のプラント使用計器情報１００７を各施設より取込む機能を持ち、プラント使用計器情報データベース２１０７を更新する。
【００４０】
統括運転管理・運転支援・運転監視装置３０００は、端末機器３００１より任意に選択された単独または複数施設、計器情報またはプロセス情報を基に、プラント使用計器情報検索手段２２０７により、指定された単独または複数施設の計器情報またはプロセス情報による計器情報を端末機器３００１に出力を行う。またはメディア３００２に出力を行う。
【００４１】
ここで示す計器情報とは、施設内における計器の管理番号、計器の製造メーカ、計器の型式、計器の校正情報、点検情報、定期交換情報、監視制御システムで使用しているポイント情報である。個々の情報からのプラント使用計器情報検索手段２２０７により、指定された計器情報より使用施設の検索も可能とする。
【００４２】
これにより、例えば、単一または複数施設において使用されている計器情報を統括監視者に対して提供することができる。すなわち、統括監視者に対して、全施設の計器情報の提供が可能となる。また、施設ごとに管理する計器情報を、統括運転管理・運転支援・運転監視装置３０００により集中管理することが可能となる。
【００４３】
前述したように、プラント使用計器情報１００７はプラント使用計器情報入力手段２００７により入力され、プラント使用計器情報データベース２１０７に構築保存されるが、プラント使用計器情報データベース変更記録構築手段２３０７は、プラント使用計器情報データベース２１０７の変更記録情報として、変更前後の情報及び変更日付を変更履歴としてプラント使用計器情報データベース変更記録２４０７を構築する。
【００４４】
統括運転管理・運転支援・運転監視装置３０００は、端末機器３００１より任意に選択された単独または複数施設、計器情報またはプロセス情報を基に、プラント使用計器情報データベース変更記録検索手段２５０７により、指定された単独または複数施設、計器情報またはプロセス情報によるプラント計器情報データベース変更記録情報を端末機器３００１に出力を行う。またはメディア３００２に出力を行う。
【００４５】
このように、計器情報からプラント使用計器情報データベース変更記録検索手段２５０７により、過去の変更記録情報の検索も可能とすることで、過去の計器情報として、定期交換情報、校正記録等の検索を可能とする。
【００４６】
これにより、例えば、単一または複数施設において使用されている計器情報の変更記録を統括監視者に対して提供することができる。すなわち、統括監視者に対して全施設の計器情報の変更記録の提供が可能となる。また、施設ごとに管理する計器情報の変更管理を、統括運転管理・運転支援・運転監視装置３０００により集中管理することが可能となる。
【００４７】
次に、施設毎の監視制御システムから統括運転管理・運転支援・運転監視装置３０００に入力される情報としてプラント運転規定・法規情報１００８について説明する。プラント運転規定・法規情報１００８はプラント運転規定・法規情報入力手段２００８により入力され、プラント運転規定・法規情報データベース２１０８に構築保存される。統括運転管理・運転支援・運転監視装置３０００へのプラント運転規定・法規情報１００８の入力は、対話による入力手段、または、メディアによる読込みを可能とする。
【００４８】
統括運転管理・運転支援・運転監視装置３０００は、端末機器３００１より任意に選択された、単独または複数施設情報及び、プロセス値または法規情報を基に、プラント運転規定・法規情報検索手段２２０８により、関連するプラント運転規定・法規情報を端末機器３００１に出力を行う。またはメディア３００２に出力を行う。
【００４９】
ここで示すプラント運転規定・法規情報とは、プラントを運転していくにあたっての遵守しなければならない法律、条例、また施設の保持に当たり自主的に作成した社内規定を示す。また、プラント運転規定・法規情報に対して、施設内における該当箇所との関連情報も同時に入力することも可能とし、任意のプラント規定・法規によるプラント監視項目及びプロセス量の確認、また、プラント監視項目及びプロセス量異常からそれに付随するプラント規定・法規の確認を可能とする。
【００５０】
これにより、例えば、単一または複数施設において適用されるプラント運転規定・法規情報を、統括監視者に対して提供することができる。また、個別施設内に本発明を設置することで、施設単独での適用も可能とする。
【００５１】
前述したように、プラント運転規定・法規情報１００８はプラント運転規定・法規情報入力手段２００８により入力され、プラント運転規定・法規情報データベース２１０８に構築保存されるが、プラント運転・規定データベース変更記録構築手段２３０８は、プラント運転規定・法規情報データベース２１０８の変更記録情報として変更前後の情報及び変更日付を変更履歴として、プラント運転・規定データベース変更記録２４０８を構築する。統括運転管理・運転支援・運転監視装置３０００は、端末機器３００１より任意に選択された単独または複数施設、プラント運転・規定を基に、プラント運転・規定情報データベース変更記録検索手段２５０８により、指定された、単独または複数施設、プラント運転・規定データベース変更記録情報を、端末機器３００１に出力を行う。またはメディア３００２に出力を行う。
【００５２】
このように、プラント運転規定・法規情報からプラント運転・規定情報データベース変更記録検索手段２５０８により、過去のプラント運転規定・法規情報の改訂記録情報の検索も可能とする。これにより、例えば、単一または複数施設において適用されるプラント運転規定・法規情報の改訂記録を、統括監視者に対して提供することができる。また、個別施設内に本発明を設置することで、施設単独での適用も可能とする。
【００５３】
次に、施設毎の監視制御システムから統括運転管理・運転支援・運転監視装置３０００に入力される情報として施設間監視情報１００９について説明する。施設間監視情報１００９は施設間監視情報入力手段２００９により入力され、施設間監視情報データベース２１０９に構築保存される。統括運転管理・運転支援・運転監視装置３０００への施設間監視情報１００９の入力は、対話による入力手段、または、メディアによる読込みも可能とする。統括運転管理・運転支援・運転監視装置３０００は、施設間監視情報データベース２１０９を基に、施設間監視手段２３０９により、施設間監視情報を、端末機器３００１に出力を行う。またはメディア３００２に出力を行う。
【００５４】
ここで示す施設間監視情報１００９とは、複数施設を跨っての操作を必要とする場合に必要となる監視情報であり、例えば、施設Ａにて生産または排出されたＡ’という物質を施設Ｂに移送する場合に、施設Ａの送付量と施設Ｂの受入量の相関関係の監視といったものが該当する。ここで送付量と受入量にて計算式を設け、その演算結果にて監視を行うことも可能とする。また、施設として直接の因果関係はなしの場合でも、施設Ｃと施設Ｄとの性能比較を行う場合も該当する。これにより、例えば、単一施設では監視不可能であった、複数施設間を跨いでの監視が可能となり、この結果を、統括監視者に対して提供することができる。
【００５５】
前述したように、施設間監視情報１００９は施設間監視情報入力手段２００９により入力され、施設間監視情報データベース２１０９に構築保存されるが、施設間監視情報データベース変更記録構築手段２２０９は、施設間監視情報データベース２１０９の変更記録情報として変更前後の情報及び変更日付を変更履歴として、施設間監視情報データベース変更記録２４０９を構築する。施設間監視情報データベース変更記録構築手段２２０９は、施設間監視情報データベース２１０９の変更記録情報として変更前後の情報及び変更日付を変更履歴として、施設間監視情報データベース変更記録２５０９を構築する。
【００５６】
統括運転管理・運転支援・運転監視装置３０００は、端末機器３００１より任意に選択された単独または複数施設、施設間監視情報を基に、施設間監視情報データベース変更記録検索手段２５０９により、指定された、単独または複数施設、施設間監視情報データベース変更記録情報を、端末機器３００１に出力を行う。またはメディア３００２に出力を行う。
【００５７】
これにより、複数施設間を跨いでの監視情報の変更記録を統括監視者に対して提供することができる。すなわち、統括監視者による施設間監視情報変更をエビデンスとして残すことが可能となる。
【００５８】
次に、施設毎の監視制御システムから統括運転管理・運転支援・運転監視装置３０００に入力される情報として特定用途監視情報１０１０について説明する。特定用途監視情報１０１０は特定用途監視情報入力手段２０１０により入力され、特定用途監視情報データベース２１１０に構築保存される。統括運転管理・運転支援・運転監視装置３０００への特定用途監視情報１０１０の入力は、対話による入力手段、または、メディアによる読込みも可能とする。統括運転管理・運転支援・運転監視装置３０００は、特定用途監視情報データベース２１１０を基に、特定用途監視手段２３１０により、特定用途監視情報１０１０を端末機器３００１に出力を行う。またはメディア３００２に出力を行う。
【００５９】
ここで示す特定用途監視情報とは、施設ごとに設定されている監視情報とは別に、統括監視者によって設定される施設間を跨いで、または、特定施設に限定しての監視項目であり、恒久的な監視項目、または一過的な監視項目として、設定される。統括監視者に設定されることにより、各施設の直接的な運転に係わる監視項目とは別に設定することが可能となる。これにより、例えば、統括監視者としての立場としての監視項目の設定機能及び監視機能を、統括監視者に対して提供することができる。
【００６０】
前述したように、特定用途監視情報１０１０は特定用途監視情報入力手段２０１０により入力され、特定用途監視情報データベース２１１０に構築保存されるが、特定用途監視情報データベース変更記録構築手段２２１０は、特定用途監視情報データベース２１１０の変更記録情報として変更前後の情報及び変更日付を変更履歴として、特定用途監視情報データベース変更記録２４１０を構築する。特定用途監視情報データベース変更記録構築手段２２１０は、特定用途監視情報データベース２１１０の変更記録情報として変更前後の情報及び変更日付を変更履歴として、特定用途監視情報データベース変更記録２５１０を構築する。
【００６１】
統括運転管理・運転支援・運転監視装置３０００は、特定用途監視情報データベース変更記録検索手段２５１０により、特定用途監視情報データベース変更記録情報を、端末機器３００１に出力を行う。またはメディア３００２に出力を行う。これにより、特定用途監視情報の変更記録を統括監視者に対して提供することができる。すなわち、統括監視者による特定用途監視情報変更をエビデンスとして残すことが可能となる。
【００６２】
以上述べたように、本発明の実施の形態による統括運転管理・運転支援・運転監視装置は、各々の監視制御システム群をネットワークを介して結合することによりネットワーク透過性を有し、対象となる監視制御システム群から、プラント制御情報、監視情報、運転操作情報を取得し、プラント制御、監視、運転操作をするためのデータベースを取得する。そして、監視制御システム群の運転管理・運転支援・運転監視を行う情報表示系部位とネットワーク透過性を実現するための監視制御システム群とのインターフェースに関する情報の管理及びこれら入力処理とは独立して行うインターフェース部とをそれぞれ備えている。
【００６３】
また、各々の施設にて使用している計器情報を入力する機能と、情報表示系部位より、施設のプロセス量に付随する計器情報を提供する機能とを備え、さらに、各々の施設の運用及び運転に係わる規定情報及び法規・法令情報を入力する機能、情報表示系部位より施設のプロセス量に付随する規定情報及び法規・法令情報を提供する機能を備えている。
【００６４】
さらに、各施設間を跨いで監視するための情報を入力する機能と、情報表示系部位より、各施設間をまたいで監視する必要のあるプロセス量に付随する情報を提供する機能を備え、統括運転管理・運転支援・運転監視装置で使用する特定用途の監視情報を入力する機能と、情報表示系部位より統括システムとして監視する必要のあるプロセス量に付随する情報を提供する機能をを備えている。
【図面の簡単な説明】
【００６５】
【図１】本発明の実施の形態に係わる統括運転管理・運転支援・運転監視装置のブロック構成図。
【図２】本発明の実施の形態に係わる統括運転管理・運転支援・運転監視装置が適用される統括運転管理・運転支援・運転監視システムのシステム構成図。
【図３】本発明の実施の形態における端末機器に表示される施設の切替対話表示のサンプルの一例の説明図。
【符号の説明】
【００６６】
１００１…プラント制御情報、１００２…プラント監視情報、１００３…プラント制御用データベース、１００４…プラント監視用データデータベース、１００５…プラント運転操作情報、１００６…プラント運転操作用データベース、１００７…プラント使用計器情報、１００８…プラント運転規定・法規情報、１００９…施設間監視情報、１０１０…特定用途監視情報、２０００…施設情報取込手段、２００１…プラント制御情報入力手段、２００２…プラント監視情報入力手段、２００３…プラント制御用データベース入力手段、２００４…プラント監視用データベース入力手段、２００５…プラント運転操作情報入力手段、２００６…プラント運転操作用データベース入力手段、２００７…プラント使用計器情報入力手段、２００８…プラント運転規定・法規情報入力手段、２００９…施設間監視情報入力手段、２０１０…特定用途監視情報入力手段、２１０１…プラント制御情報データベース、２１０２…プラント監視情報データベース、２１０３…プラント制御用データベース、２１０４…プラント監視用データベース、２１０５…プラント運転操作情報データベース、２１０６…プラント運転操作用データベース、２１０７…プラント使用計器情報データベース、２１０８…プラント運転規定・法規データベース、２１０９…施設間監視情報データベース、２１１０…特定用途監視情報データベース、２２０３…プラント制御用データベース変更記録構築手段、２２０４…プラント監視用データベース変更記録構築手段、２２０６…プラント運転操作用データベース変更記録構築手段、２２０７…プラント使用計器情報入力手段、２２０８…プラント運転規定・法規情報検索手段、２２０９…施設間監視情報データベース変更記録構築手段、２２１０…特定用途監視情報データベース変更記録構築手段、２３０３…プラント制御用データベース変更記録、２３０４…プラント監視用データベース変更記録、２３０６…プラント運転操作用データベース変更記録、２３０７…プラント使用計器情報データベース変更記録構築手段、２３０８…プラント運転規定・法規データベース変更記録構築手段、２３０９…施設間監視手段、２３１０…特定用途監視手段、２４０１…プラント制御情報提供手段、２４０２…プラント監視情報提供手段、２４０３…プラント制御用データベース変更記録検索手段、２４０４…
プラント監視用データベース変更記録検索手段、２４０５…プラント運転操作情報提供手段、
２４０６…プラント運転制御用データベース変更記録検索手段、２４０７…プラント使用計器情報データベース変更記録、２４０８…プラント運転規定・法規データベース変更記録、２４０９…施設間監視情報データベース変更記録、２４１０…特定用途監視情報データベース変更記録、２５０７…プラント使用計器情報データベース変更記録検索手段、２５０８…プラント運転規定・法規データベース変更記録検索手段、２５０９…施設間監視情報データベース変更記録検索手段、２５１０…特定用途監視情報データベース変更記録検索手段、３０００…統括運転管理・運転支援・運転監視装置、３００１…端末装置、３００２…メディア、４０００…ネットワーク、４００１…ネットワーク、４０１０…制御装置、４０２０…制御／監視系計算機、４０３０…管理用計算機、５００１…イベントボタン、５００２…イベント表示窓、５００３…アイランド表示窓、５００４…デマンドボタン、５００５…切替ボタン、５００６…展開マーク、５００７…予備ボタン、５００８…ユーティリティエリア
【図１】
2007164490.tif 000003
【図２】
2007164490.tif 000004
【図３】
2007164490.tif 000005